(57)【要約】【課題】  洋式便器の蓋や便座を開閉する際かがむのを避ける従来の洋式便器は、専用の蓋や便座を使用したり、蓋や便座に金具を取り付けたりしなければならない。【解決手段】  基台１１上に直立し、基台１１との離間距離を調節可能な外筒１２と、外筒１２内を移動可能なロッド１３と、ロッド１３に備えられたラック１３ａと、ラック１３ａと噛み合うピニオン１４と、ピニオン１４と結合し洋式便器１９の蓋または便座１９ａを挟む挟み１８と、ロッド１３に弾性力を加える弾性体１６と、弾性体１６の弾性力を調節する調節手段１７と、ロッド１３と結合したペダル１５とを備えた洋式便器の蓋または便座の開閉装置。【選択図】  図１
2008061947.tif 000002
【特許請求の範囲】
【請求項１】
基台と、前記基台上に直立した外筒と、前記外筒内を移動可能なロッドと、前記ロッドに備えられたラックと、前記外筒に支持され前記ラックと噛み合うピニオンと、前記ピニオンと結合し洋式便器の蓋または便座を挟む挟みと、前記ロッドに下向きの弾性力を与える弾性体と、前記ロッドと結合したペダルとを備えた、洋式便器の蓋または便座の開閉装置。
【請求項２】
請求項１に記載の洋式便器の蓋または便座の開閉装置において、前記基台からの前記外筒の高さを調節可能な洋式便器の蓋または便座の開閉装置。
【請求項３】
請求項１または２のいずれかに記載の洋式便器の蓋または便座の開閉装置において、前記弾性力を調節する調節手段を備えた洋式便器の蓋または便座の開閉装置。
【請求項４】
請求項１〜３のいずれかに記載の洋式便器の蓋または便座の開閉装置において、閉じた位置にある前記蓋または便座の重量と前記弾性力がほぼ釣り合う洋式便器の蓋または便座の開閉装置。
【発明の詳細な説明】
【技術分野】
【０００１】
本発明は洋式便器の蓋または便座の開閉装置に関する。
【背景技術】
【０００２】
洋式便器の蓋や便座は通常手で開閉しているが、老人や腰を痛めた人などにとっては、かがんで蓋や便座を開くことは苦痛である。かがむのを避けるため、ラックを有する直立した操作桿、ラックと噛み合うピニオン、ピニオンと噛み合う歯車を有する蓋と便座を設け、操作桿を手で引き上げて蓋と便座を開く考案が提案されている。（特許文献１）。また直立したラック、蓋と便座に取り付けたラック、両ラックと噛み合うピニオン、直立したラックの下端に取り付けたペダルを設け、ペダルを足で踏んで蓋と便座を開く考案が提案されている（特許文献２）。
【特許文献１】実開昭５１−７００４８号公報
【特許文献２】実開昭５２−１２０４３７号公報
【発明の開示】
【発明が解決しようとする課題】
【０００３】
特許文献１の考案は、操作桿を手で引き上げるのでかがむ必要はないが、操作桿が便器の後方横にあるため老人や腰を痛めた人などにとっては操作しにくいと思われる。また蓋と便座は支点に歯車を有する特別な構造であるため通常の蓋と便座は使用できない。そのため専用の蓋と便座に交換しなければならない。
【０００４】
特許文献２の考案は、ペダルを足で踏むのでかがむ必要はないが、ペダルを踏むときバネを圧縮しなければならない。したがって蓋または便座の重さにバネを圧縮する力が加わるためペダルを踏むのに強い力が必要である。また蓋または便座が戻るとき、バネの解放される力が加わるため、蓋や便座が勢いよく落下して便器に衝突するおそれがある。さらに蓋と便座にピニオンを取り付ける工事が必要である。
【課題を解決するための手段】
【０００５】
請求項１に記載の洋式便器の蓋または便座の開閉装置は、基台と、前記基台上に直立した外筒と、前記外筒内を移動可能なロッドと、前記ロッドに備えられたラックと、前記外筒に支持され前記ラックと噛み合うピニオンと、前記ピニオンと結合し洋式便器の蓋または便座を挟む挟みと、前記ロッドに下向きの弾性力を与える弾性体と、前記ロッドと結合したペダルとを備えた、洋式便器の蓋または便座の開閉装置である。
【０００６】
上記の構成によりペダルを踏むとロッドおよびラックが下降し、ピニオンおよび挟みが回転し、挟みに挟まれた蓋または便座が開くので、蓋または便座を開く際にかがむ必要がない。さらにロッドが下降する方向すなわち蓋または便座が開く方向に弾性力が加えられているので、従来品に比べペダルを踏む力が少なくてよい。
【０００７】
また取り付けは挟みで既存の便器の便座または蓋を挟むだけであるから、便座や蓋を専用品に交換したり、特別な器具の取り付け工事をしたりする必要がない。また挟みを便座または蓋から抜けば即座に原状回復でき傷を残すことはない。したがって従来品よりはるかに経済的でしかも手軽に使える。
【０００８】
請求項２に記載の洋式便器の蓋または便座の開閉装置は、請求項１に記載の洋式便器の蓋または便座の開閉装置において、前記基台からの前記外筒の高さを調節可能な洋式便器の蓋または便座の開閉装置である。
【０００９】
上記の構成により、蓋または便座の床面からの高さが異なる種々の洋式便器に対しても、基台からの外筒の高さを調節することで、挟みの高さを蓋または便座の高さと合わせることができる。
【００１０】
請求項３に記載の洋式便器の蓋または便座の開閉装置は、請求項１または２のいずれかに記載の洋式便器の蓋または便座の開閉装置において、前記弾性力を調節する調節手段を備えた洋式便器の蓋または便座の開閉装置である。
【００１１】
上記の構成により、重量の異なる種々の蓋または便座に対しても、弾性体の弾性力を調節することで、蓋または便座の重量と弾性力を釣り合うようにできる。
【００１２】
請求項４に記載の洋式便器の蓋または便座の開閉装置は、請求項１〜３のいずれかに記載の洋式便器の蓋または便座の開閉装置において、閉じた位置にある前記蓋または便座の重量と前記弾性力がほぼ釣り合う洋式便器の蓋または便座の開閉装置である。
【００１３】
上記の構成により、閉じた位置にある蓋または便座の重量と弾性力がほぼ釣り合うので、ペダルを踏む力が僅かでよい上に、蓋または便座を閉じるとき途中で手を放しても蓋または便座は便器と強く衝突せず静かに閉じる。したがって蓋または便座を閉じるときも最後まで手で支える必要がないのでかがむ必要がない。
【発明の効果】
【００１４】
ペダルを踏むと挟みに挟まれた蓋または便座が開くので、蓋または便座を開ける際にかがむ必要がない。このとき蓋または便座が開く方向に弾性力が加えられているのでペダルを踏む力が少なくてよい。また挟みに既存の便器の蓋または便座を挟むだけであるから、蓋や便座を専用品に交換したり、蓋や便座に特別な器具の取り付け工事をしたりする必要がない。したがって従来品よりはるかに経済的で手軽である。
【００１５】
閉じた位置にある蓋または便座の重さと弾性力がほぼ釣り合うので、ペダルを踏む力が僅かでよい上に、蓋または便座を閉じるとき途中で手を放しても静かに着地する。したがって蓋または便座を閉じるときもかがむ必要がない。
【発明を実施するための最良の形態】
【００１６】
図１は本発明の洋式便器の蓋または便座の一実施例の開閉装置１０の（ａ）正面図、（ｂ）側面図である。本発明の洋式便器の蓋または便座の開閉装置１０では床に置かれた基台１１上に外筒１２が直立している。床からの外筒１２の高さは下端近くの長孔１２ａをビス１２ｂで基台１１上に止める位置で調節できる。外筒１２の内部にはロッド１３があり、外筒１２の内部を上下に移動できる。ロッド１３の一部にラック１３ａが設けられており、外筒１２に支持されたピニオン１４と噛み合っている。ロッド１３の下端１３ｂはペダル１５とピン結合している。ペダル１５の端は基台１１にヒンジ１５ａで結合している。ロッド１３の上端１３ｃは圧縮バネ１６の下端で押さえられており、圧縮バネ１６の上端は外筒１２に取り付けられた調節ねじ１７で押さえられている。調節ねじ１７により圧縮バネ１６がロッド１３の上端１３ｃを押圧する力を調節する。ピニオン１４の軸先端にはバネ性を持つ挟み１８が備えられている。挟み１８で便器１９の便座１９ａの支持軸付近を、ピニオン１４と便座１９ａの支持軸が一致する位置で挟んでおく。（なお図１では挟み１８は便座１９ａを挟んでいるが、挟む対象は蓋（図示しない）でもよい。）床からの外筒１２の高さ調節（長孔１２ａをビス１２ｂで止める位置で調節）はピニオン１４と便座１９ａの支持軸を一致させるのに用いる。圧縮バネ１６は調節ねじ１７により、僅かの力をかければ便座１９ａが開く強さに圧縮されている。
【００１７】
図１ではロッド１３の上方に圧縮バネ１６を設けているが、ロッド１３の下方に引っ張りバネを設けてもよい。いずれの場合もバネの力が蓋または便座を開く方向に働くように設定する。なおバネ以外にゴムブロック（圧縮の場合）、ゴムひも（引っ張りの場合）なども使用可能である。
【００１８】
図２は挟み１８とピニオン１４の斜視図、図３はペダル１５の斜視図である。
【００１９】
本発明の洋式便器の蓋または便座の開閉装置１０の機能を説明する。便座１９ａを開くときは図１に矢印で示すようにペダル１５を踏む。するとペダル１５とピン結合しているロッド１３が下降する。このときラック１３ａも一緒に下降するので、ラック１３ａと噛み合ったピニオン１４が矢印の方向に回転する。ピニオン１４の軸と便座１９ａの支持軸は一致しているので、ピニオン１４の回転が挟み１８に伝わり便座１９ａが開く。閉じた位置にある便座１９ａの重量と圧縮バネ１６はほぼ釣り合うように圧縮バネ１６の押圧力が調節ねじ１７で調節されているので僅かの力をかければ便座１９ａは開く。そのためペダル１５を踏む力は僅かでよい。このようにして便座１９ａを開くに際してペダル１５を軽く踏むだけよいのでかがむ必要もなく老人や腰を痛めた人に好適である。
【００２０】
便座１９ａを閉じるときは便座１９ａの端を手で持って閉じる。従来は便座１９ａを閉じるとき便座１９ａが落下して便器１９に衝突しないように、便座１９ａが便器１９に接するまで手で持っている必要があった。このときもかがむ必要があるので老人や腰を痛めた人などには苦痛であった。それに対し本発明の洋式便器の蓋または便座の開閉装置１０では便座１９ａが閉じるほど圧縮バネ１６が圧縮され、バネの弾性力で便座１９ａを支えることができる。そのため閉じる途中で便座１９ａを手放しても便座１９ａは便器１９に強く衝突することなく静かに閉じる。そのためかがむのが苦痛な人が閉じる途中で便座１９ａを閉まる途中で手放しても問題ない。
【００２１】
本発明の洋式便器の蓋または便座の開閉装置１０は既存の便器１９の便座１９ａ（または蓋）を挟み１８で挟むだけであるから、便座１９ａや蓋を専用品に交換したり、それらに特別な器具の取り付け工事をしたりする必要がない。また挟み１８を便座１９ａまたは蓋から抜けば即座に原状回復でき便座１９ａまたは蓋に傷を残すことはない。したがって経済的で手軽である。
【産業上の利用可能性】
【００２２】
老人や腰を痛めた人などにとって、かがんで洋式便器の蓋や便座を開くのは苦痛である。本発明の洋式便器の蓋または便座の開閉装置はペダルを踏むと蓋または便座が開くので、かがむ必要がない。このとき蓋または便座が開く方向に弾性力が加えられているのでペダルを踏む力が少なくてもよい。また挟みに既存の便器の便座または蓋を挟むだけであるから、便座や蓋を専用品に交換したり、それらに特別な器具の取り付け工事をしたりする必要がない。
【００２３】
本発明の洋式便器の蓋または便座の開閉装置では閉じた位置にある蓋または便座の重さと弾性力がほぼ釣り合っているので、ペダルを踏む力が僅かでよい上に、蓋または便座を閉じるとき途中で手を放しても静かに閉まる。したがって蓋または便座を閉じるときもかがむ必要がない。
【図面の簡単な説明】
【００２４】
【図１】本発明の洋式便器の蓋または便座の開閉装置の正面図、側面図
【図２】本発明の洋式便器の蓋または便座の開閉装置の挟みとピニオンの斜視図
【図３】本発明の洋式便器の蓋または便座の開閉装置のペダルの斜視図
【符号の説明】
【００２５】
１０  洋式便器の蓋または便座開閉装置
１１  基台
１２  外筒
１２ａ  長孔
１２ｂ  ビス
１３  ロッド
１３ａ  ラック
１３ｂ  ロッドの下端
１３ｃ  ロッドの上端
１４  ピニオン
１５  ペダル
１５ａ  ヒンジ
１６  圧縮バネ
１８  挟み
１９  便器
１９ａ  便座
【図１】
2008061947.tif 000003
【図２】
2008061947.tif 000004
【図３】
2008061947.tif 000005